(57)【要約】【課題】所定の弾力でケーブルを把持固定する、スプリングを内蔵した、小型で、作業性に優れた締付具を提供する。【解決手段】ガイド管１０と、弾性部材３０と、雄ネジ部材４０とを有し、ガイド管１０は、上部は開口しており、下部は底板２０で閉じられており、且つ当該底板２０の中心部に雌ねじ部２５を形成されたものであり、雄ネジ部材４０は、その軸の先端部にガイド管１０の雌ねじ部２５と螺合する雄ねじ部４５が形成され、且つ、この雄ねじ部４５より頭部側に、ガイド管１０の雌ねじ部２５の内径以下の外径に形成された細径部５０を有するものであり、弾性部材３０は、その外形がガイド管１０の内径より小さく、かつ雄ネジ部材４０の軸が貫通できるものであり、雄ネジ部材４０が挿入された弾性部材３０をガイド管１０に収容し、ガイド管１０の雌ねじ部２５に、雄ネジ部材４０の雄ねじ部４５を螺合させる。【選択図】      図１
2014204558.tif 000002
【特許請求の範囲】
【請求項１】
ガイド管と、弾性部材と、雄ネジ部材とを有し、
前記ガイド管は、上部は開口しており、下部は底板で閉じられており、且つ当該底板の中心部に雌ねじ部を形成されたものであり、
前記雄ネジ部材は、その軸の先端部に前記ガイド管の前記雌ねじ部と螺合する雄ねじ部が形成され、且つ、この雄ねじ部より頭部側に、前記ガイド管の前記雌ねじ部の内径以下の外径に形成された細径部を有するものであり、
前記弾性部材は、その外形が前記ガイド管の内径より小さく、且つ、前記雄ネジ部材の軸が貫通できものであり、
前記雄ネジ部材が挿入された前記弾性部材を前記ガイド管に収容し、前記ガイド管の前記雌ねじ部に、前記雄ネジ部材の前記雄ねじ部を螺合したことを特徴とする締付具。
【請求項２】
請求項１の締付具を用いたケーブル把持装置であって、
ケーブル等、対象物を押さえる押圧部材の貫通孔に前記締付具を取付け、
当該締付具の雄ネジ部材を、その細径部が前記ガイド管の前記雌ねじ部と対向するまで捩じ込むことにより、前記押圧部材で対象物を押さえることを特徴とする把持装置。
【発明の詳細な説明】
【技術分野】
【０００１】
本発明は、締付具に係り、より詳しくは、締付力を所定の範囲に維持できる締付具と、これを用いたケーブル把持装置に関する。
【背景技術】
【０００２】
特許文献１には、固定部材と押圧部材によってケーブルを挟持固定するクリートにおいて、押圧部材のケーブルを挟んで両側に固定部材と反対側に開口を有する有底筒部をそれぞれ設け、これらの有底筒部開口部に１つまたは複数の第１の係合突起を設けるとともに底部に透孔をそれぞれ穿設し、透孔に対応させて固定部材にねじ孔をそれぞれ設け、有底筒部内に弾性部材を挿入してこの弾性部材と透孔を貫通して開口側からねじ孔にボルトをそれぞれ螺入し、ボルトの頭部に第１の係合突起に当接し得る１つまたは複数の第２の係合突起を設け、第１と第２の係合突起の当接面がボルトの軸方向に略平行でしかも第１と第２の係合突起が当接した状態で相対的に両者が軸方向に移動自在であるように構成したクリートについて記載されている。
【０００３】
特許文献２には、ケーブルを挟持固定する受台及び押え金を有し、押え金には両側に有底筒部が設けられていると共に有底筒部中には弾性部材が挿入されかつ弾性部材、有底筒部の底部及び受台を貫通してボルト部材が設けられ、ボルト部材の反受台側端部には弾性部材を押圧する座金及びナットを備えているケーブル用クリートにおいて、受金上面よりの高さが所定高さに形成されている、ボルト部材に同心に設置の筒部材又はボルト部材に形成の段部のいずれかを備えており、弾性部材に当接の座金が筒部材の上端面又はボルト部材の段部に当接するように構成されるケーブル用クリートについて記載されている。
【先行技術文献】
【特許文献】
【０００４】
【特許文献１】実開平６−１４６６１号公報
【特許文献２】実開平３−８３４３０号公報
【発明の概要】
【発明が解決しようとする課題】
【０００５】
上記特許文献１、２のクリートには、ケーブルを挟持する力をほぼ一定に保つための機構が設けられている。この挟持力維持機構は、各特許文献の図１に示されているように、ケーブルを上側から挟持する押え金（押圧部材）に一体に設けた有底筒部と、コイルばね、ボルト、ナット等のバラバラに独立した部品とで構成されており、ケーブルをクリートで固定するときに各部品を前記有底筒部に組み込んでいた。このため、取付け作業が煩雑で、いずれかの部品が無くなるなどの不具合も起き易かった。
また、これら従来のクリートは、有底筒部を一体化した押え金（押圧部材）等の本体部分が鋳物成形法で製造されるため、大型になり、取り付の際には設置スペースが必要で、ケーブルが輻輳する狭猥な場所には取り付けができない問題があった。
【０００６】
本発明は、このような問題を解決するためになされたものであり、所定の締付力を維持できるうえに、一体として取扱い可能な締付具と、これを用いたケーブル把持装置を提供するものである。
【課題を解決するための手段】
【０００７】
本発明の締付具は、ガイド管と、弾性部材と、雄ネジ部材とを有し、前記ガイド管は、上部は開口しており、下部は底板で閉じられており、且つ当該底板の中心部に雌ねじ部を形成されたものであり、前記雄ネジ部材は、その軸の先端部に前記ガイド管の前記雌ねじ部と螺合する雄ねじ部が形成され、且つ、この雄ねじ部より頭部側に、前記ガイド管の雌ねじ部の内径以下の外径に形成された細径部を有するものであり、前記弾性部材は、その外形がガイド管の内径より小さく、かつ雄ネジ部材の軸が貫通できるものであり、前記雄ネジ部材が挿入された前記弾性部材を前記ガイド管に収容し、前記ガイド管の前記雌ねじ部に、前記雄ネジ部材の前記雄ねじ部を螺合したことを特徴とし、
前記締付具を用いたケーブル把持装置は、ケーブル等、対象物を押さえる押圧部材の貫通孔に前記締付具を取付け、当該締付具の雄ネジ部材を、その細径部が前記ガイド管の雌ねじ部と対向するまで捩じ込むことにより、前記押圧部材で対象物を押さえることを特徴とする。
【発明の効果】
【０００８】
本発明によれば、所定の締付力を維持できる、一体型で作業性に優れた締付具を提供することができる。
また、この締付具を用いた把持装置は、所定の締付力を維持する機構を、ケーブル等の対象物を押さえる押圧部材から独立して取り扱えるので、狭猥な場所でも取り付けが容易である利点がある。
【図面の簡単な説明】
【０００９】
【図１】本発明の締付具の一実施形態を示す断面図。
【図２】本発明の把持装置の一実施形態を示す図。
【図３】本発明の把持装置の他の実施形態を示す図。
【発明を実施するための形態】
【実施例】
【００１０】
本発明の実施の形態について、図を用いて説明する。
【００１１】
図１は、本発明による締付具の構成を示す図である。図１において、締付具１００は、ガイド管１０と、弾性部材である圧縮コイルスプリング３０と、平ワッシャー６０と、雄ネジ部材であるボルト４０と、ナット７０とを有している。ガイド管１０の上部は筒状開口部１５を有し、下部は、底板２０で閉じられている。底板２０の中心部には、雌ねじ部２５が形成されている。ボルト４０は、その軸の先端部にガイド管１０の雌ねじ部２５と螺合する雄ねじ部４５が形成されている。また、この雄ねじ部４５に連続し頭部側に、ガイド管１０の雌ねじ部２５の内径以下の外径に形成された細径部５０を有している。平ワッシャー６０は、その外径がガイド管１０の内径より小さく、且つ、中心部に六角ボルト４０が貫通する貫通孔６５を有している。圧縮コイルスプリング３０は、その外径がガイド管１０の内径より小さく、内径がボルト４０の軸の径より大きいものである。また、圧縮コイルスプリング３０は、ガイド管１０の深さより若干長い。
【００１２】
ボルト４０は、平ワッシャー６０と圧縮コイルスプリング３０とに挿入された状態で、ガイド管１０に挿入されている。さらにボルト４０の雄ネジ部４５は、細径部５０の近傍までガイド管１０の雌ねじ部２５に螺合されている。ガイド管１０から突出したボルト４０の雄ねじ部４５にはナット７０が螺合されている。なお、ナット７０は、別に提供されても良い。
【００１３】
これにより、締付具１００は、ボルト４０を介して、平ワッシャー６０、圧縮コイルスプリング３０及びガイド管１０が互いに組み合わされた状態で一体化されているため、取り扱いが容易で、部品紛失等の問題も解消される。
【００１４】
図２は、上記実施形態の締付具を用いて構成した把持装置を示す図である。この把持装置は、ケーブル９０を挟持するクランプ部材８０と、前記締付具１００とで構成されている。クランプ部材８０は、半円形凹部を有する押圧部材８０ａと受け部材８０ｂとで構成されており、押圧部材８０ａと受け部材８０ｂの端部の重なり合う位置には、締付具１００のボルト４０が挿入される貫通孔８５ａ、８５ｂが設けられている。
【００１５】
次に、この把持装置でケーブル９０を把持するには、まず、クランプ部材８０の押圧部材８０ａと受け部材８０ｂの凹部にケーブル９０を挟み、クランプ部材８０貫通孔８５ａ、８５ｂに締付具１００のボルト４０を挿入する。次いで、クランプ部材８０の裏側に出たボルト４０の雄ネジ部４５にナット７０を螺合し、このナット７０と締結具１００の底部２０との間で、クランプ部材８０の端部を挟む。続いて、ガイド管１０の雌ねじ部２５と六角ボルト４０の細径部５０とが対向するまで六角ボルト４０を捩じ込み、さらに、平ワッシャー６０がガイド管１０の開口部１５の略上端の位置に収まるまで捩じ込む。この時、圧縮コイルスプリング３０が所定の距離だけ圧縮されることにより、クランプ部材８０の押圧部材８０ａと受け部材８０ｂは圧縮コイルスプリング３０からの押圧を受け、ケーブル９０はクランプ部材８０に所定の把持力で把持される。
【００１６】
この状態で、ボルト４０の細径部５０とガイド管１０の雌ねじ部２５とが対向しているため、ガイド管１０はボルト４０に対して上下に可動できる状態にある。このため、通電によりケーブル温度が上昇してケーブル９０が膨張したときは、締付具１００のガイド管１０が押し上げられ圧縮コイルスプリング３０が縮むことにより、クランプ部材８０の押圧部材８０ａと受け部材８０ｂが互いに離間することが許容される。また、ケーブル温度が下がってケーブル９０が収縮したときは圧縮コイルスプリング３０が伸びてガイド管１０を押し下げ、クランプ部材８０の押圧部材８０ａと受け部材８０ｂを接近させる。
このように、ケーブル９０の膨張・収縮が、締結具１００の圧縮コイルスプリング３０の伸縮により自在に吸収されるため、この把持装置のケーブルクランプ８０は所定の把持力を維持した状態でケーブル９０を安定に把持することが可能となる。
【００１７】
以上説明した通り、この実施形態の把持装置は、所定の弾力でケーブルを把持固定することができる。
また、締付具１００が一体になっているので、扱いやすく、クランプ部材８０への取り付けが容易である。
さらに、従来の把持装置のようにクランプ部材８０に圧縮コイルスプリング３０を納める筒部を設けける必要がないので、クランプ部材８０をプレス成型等、コストの安い製法で製造することが可能になり、把持装置のコスト低減も可能である。
【００１８】
なお、本発明は上記実施形態に限定されない。例えば、ナット７０はクランプ部材８０の下面に予め固定しても良く、さらには、ナット７０を用いず、下側のクランプ部材８０の貫通孔８５に雌ネジを形成し、ここにボルト４０の雄ネジ部４５を螺合しても良い。
また、上記実施形態では、弾性部材として圧縮コイルスプリング３０を用いたが、ゴムなどを用いても良い。
また、上記実施形態では、ワッシャー６０を設けたが、これを用いず、ボルト４０の頭で弾性部材（圧縮コイルスプリング）を押さえてもよい。
さらに、本発明の把持装置は、押圧部材として市販の固定具を用いたものであってもよい。図３は片サドル８０ｃを用いた例で、上記実施形態で用いた受け部材８０ｂは無く、壁面、天井面、床面などの受部８０ｄに締結具の雄ネジ部材としてのタッピンねじ４０ａが螺合されている。この場合、タッピンねじ４０ａを用いているので、受部８０ｄへの事前のネジ加工は不要で、ナット７０も不要である。
このように本発明の締結具は市販のサドルにも適用できるので、既設ケーブルを固定しているケーブル固定具（サドル）に後付けして、一定の把持力で拘束する固定具に更新ことも可能である。
【符号の説明】
【００１９】
１０  ガイド管
１５  筒状開口部
２０  底板
２５  雌ねじ部
３０  圧縮コイルスプリング（弾性体）
４０  ボルト（雄ネジ部材）
４０ａ  タッピンねじ（雄ネジ部材）
４５  雄ネジ部
５０  細径部
６０  平ワッシャー
６５  貫通孔
７０  ナット
８０  クランプ部材
８０ａ  押圧部材
８０ｂ  受け部材
８０ｃ  片サドル
８０ｄ  受け部
８５，８５ａ，８５ｂ  貫通孔
９０  ケーブル
１００  本発明の締付具
【図１】
2014204558.tif 000003
【図２】
2014204558.tif 000004
【図３】
2014204558.tif 000005